(57)【要約】本明細書で、人または動物の皮膚、特に毛を有する皮膚または毛皮に流体を塗布する装置及び方法が開示される。装置は、毛をすく要素のアレイを備え、それぞれの毛をすく要素は、皮膚接触表面を備える。装置は、流体が皮膚を覆う全ての毛または毛皮よりむしろ皮膚に優先的に塗布されるように、流体を塗布すると同時に、皮膚または皮膚から離れて、皮膚から生える毛または毛皮を覆う全ての毛または毛皮を持ち上げるように構成される。装置の追加の実施形態は、流体と皮膚に流れを供給するために提供される経皮電気刺激装置を備えることが開示される。装置の使用方法は、また開示される。
2020511185.tif 000002
【特許請求の範囲】
【請求項１】
毛が覆う皮膚表面に流体を塗布するための装置であって、
チャンバを囲い、画定し、入力端と出力端を備える、中空のマニホールド体と、
前記マニホールド体の出力端に取り付けられ、そこから延在し、隣接する毛をすく要素の間の空間間隔を備えておおよそ直線状配列に配置された複数の毛をすく要素であって、それぞれの毛をすく要素は、皮膚接触表面と、前記皮膚接触表面から前記マニホールド体へ延在する中空の細長い部分を備え、前記細長い部分は、前記要素を前記出力端に接続し、それぞれの中空の前記細長い部分は、前記細長い部分内の流体配送導管を囲い、画定し、前記導管は、前記チャンバと流体連通する、毛をすく要素と、
すく頂点を備える最先端を備える前記皮膚接触表面と、
流体配送オリフィスに位置し、前記導管内に配置される、流体配送要素とともに前記オリフィスを画定する、前記皮膚接触表面と、
毛が流れる通路を画定する隣接する細長い部分と、を備える、装置。
【請求項２】
それぞれの毛が流れる通路は、前記隣接する細長い部分及び前記皮膚接触表面に垂直な態様で弓形であり、前記態様において、隣接する細長い部分の距離は、前記皮膚接触表面に近接して最小である、請求項１に記載の装置。
【請求項３】
前記皮膚接触表面の形状は、略レンズ形状、ルーローの三角形、丸まった菱形、または洋なし形状である、請求項１に記載の装置。
【請求項４】
前記すく頂点は、丸くなっている、請求項１に記載の装置。
【請求項５】
前記皮膚接触表面は、後縁を備え、前記配送オリフィスの周りの前記最先端から外側に、その後前記後縁に向かって内側に先細りする、請求項１に記載の装置。
【請求項６】
前記皮膚接触表面は、長軸とお互いに垂直な短軸を備える略レンズ形状である、請求項５に記載の装置。
【請求項７】
前記短軸に沿った前記皮膚接触表面の幅と前記長軸に沿った前記皮膚接触表面の長さの比は、６：１８から１０：１２である、請求項６に記載の装置。
【請求項８】
前記短軸に沿った前記皮膚接触表面の幅は、約８．６ｍｍであり、前記長軸に沿った前記皮膚接触表面の長さは、約１２．１ｍｍである、請求項７に記載の装置。
【請求項９】
隣接する毛をすく要素の間の空間間隔は、約１０ｍｍである、請求項８に記載の装置。
【請求項１０】
前記流体配送要素は（ａ）前記チャンバと流体連通し、前記配送オリフィスに延在する毛管作用で運ぶ要素、または（ｂ）前記配送オリフィスに捕らえられ、前記チャンバと流体連通するローラボールから選択される、請求項１に記載の装置。
【請求項１１】
前記流体配送要素は、前記配送オリフィスに捕らえられるローラボールであり、それぞれのすく要素は、さらに前記流体配送導管内に配置された毛管作用で運ぶ要素を備え、延在し、ローラボールの表面部分と流体接触する、請求項１０に記載の装置。
【請求項１２】
前記流体配送要素は、水のような粘度で流体を配送する効果があり、前記流体は、化粧品及び／または皮膚の栄養補助の製剤である、請求項１に記載の装置。
【請求項１３】
さらに電流源及びアレイの複数の接触電極を備え、
毛をすく要素のそれぞれの皮膚接触表面は、前記電流源と電気接触する接触電極を備える、請求項１に記載の装置。
【請求項１４】
アレイの代替の電極は、同じ極性を有し、接触電極の隣接する組は、反対またはゼロの極性を有する、請求項１３に記載の装置。
【請求項１５】
さらに前記本体の前記入力端に取り付けられた中空の流体供給要素であって、前記中空の流体供給要素は、前記チャンバと流体連通する流体リザーバを画定する、中空の供給要素を備え、前記流体供給要素は、ホース、固定された容器、または取り外し可能な容器から選択される、請求項１に記載の装置。
【請求項１６】
さらに、前記流体配送導管及び前記チャンバ内に配置された液体化粧品及び／または栄養補助の製剤を備える、請求項１に記載の装置。
【請求項１７】
毛が流れる通路は、前記細長い部分及び前記皮膚接触表面に垂直な態様でおおよそ鍵穴形状である、請求項１に記載の装置。
【請求項１８】
前記皮膚接触表面に近接する隣接する細長い部分の間の距離と、隣接する細長い部分の最大距離の比は、約０．３４から約０．５１である、請求項１に記載の装置。
【請求項１９】
入力端は、取り外し可能なキャップで封止されている、請求項１に記載の装置。
【請求項２０】
前記マニホールド体は、さらに前記入力端の  近位に、均圧バルブを備える取り外し可能なキャップを備え、前記チャンバは、前記入力端において閉じられる、請求項１に記載の装置。
【請求項２１】
毛を有する皮膚に流体を塗布する方法であって、
方法は、
人または動物の対象の皮膚及び／または毛の第１の領域に請求項１に記載の装置の皮膚接触表面を適用するステップと、
第１の期間、前記装置のすく頂点の方向のどちらか１つに前記装置を動かしながら、前記皮膚接触表面と前記皮膚及び／または毛の第２の領域の間の接触を維持するステップと、
前記皮膚及び／または毛から前記皮膚接触表面を取り除くステップと、を備え、
前記流体の少なくとも一部は、前記皮膚及び／または毛の前記第２の領域の一部または全ての上に層として堆積される、方法。
【発明の詳細な説明】
【技術分野】
【０００１】
本発明は、毛を有する皮膚に、局所的な液体、特に液体の栄養補助または化粧の製剤を塗布する装置である。
【背景技術】
【０００２】
皮膚は、水、電解質、紫外線放射及び毒物の内及び外への通過を許容し、限定する、環境への物理的障壁、微生物に対する保護を形成することを含む、いくつかの重要な機能を備える、人体（多くの哺乳類も）の最大の器官である。皮膚のための局所的な液体の製剤の異なる種類として、例えば、栄養補助製剤、アンチエイジングまたは他のケア製品、化粧品、及び薬用製剤などがある。いくつかのそのような製品は、毛または毛皮がほとんどまたは全くない皮膚に塗布される。しかしながら、いくつかの液体製品は、そこに毛または毛皮を有する皮膚への塗布を必要とし、皮膚接触のために設計される。そこから生え、そこに横たわる毛または毛皮よりもむしろ皮膚または頭皮にそのような製剤を塗布する際に課題がある。毛または毛皮へ大量に液体製剤を単に追加しても、標的の皮膚または頭皮へは乏しくなる。多くの液体は、例えば毛細管現象によって毛または毛皮によって吸い上げられ、液体は毛の表面を被覆する。局所的な製剤の無駄遣いになるので、そのような頭皮または皮膚への塗布のために設計された局所的な製剤の「分離した塗布」は、不利である。そのかなりの割合は、意図される頭皮または皮膚表面へのその方法を見つけられず、毛によって吸収され、毛を被覆する。さらに、製剤は、特に頭皮または皮膚のために設計され、毛または毛皮へのその塗布は、頭皮または皮膚の健康への逆効果にさえなるかもしれない。
【０００３】
頭皮及び毛／毛皮を有する皮膚のための液体処理剤の塗布は、液体処理剤を保持する容器と流体連通する単一のノズルを用いてなされる。しばしば、液体は、液体に加圧を与えた塗布によって、分配され、ノズルによって液体に力を与える。そのような塗布はゆっくりで、一方の手で毛または毛皮を分離することと、他方の手でボトルまたは容器から塗布することを必要とする。単一のノズルは、液体を供給する際に皮膚を覆う領域の割合が低く、そのような塗布は、それゆえ時間を必要とする。さらに毛の個々のスタンドの分離または変位により、時間がかかり、器用さを必要とする。液体の多くは、それにもかかわらず、毛上への塗布により失われる。
【０００４】
液体の塗布は、優先的に皮膚または頭皮を目標にし、一掃きの際に、単一のスポットまたは線よりも広くカバーする、毛及び毛皮を有する皮膚に液体製剤の局所的な塗布のための装置が現在必要である。
【発明の概要】
【０００５】
本明細書では、毛が覆う皮膚表面に流体を塗布するための装置であって、チャンバを囲い、画定し、入力端と出力端を備える、中空のマニホールド体と、マニホールド体の出力端に取り付けられ、そこから延在し、隣接する毛をすく要素の間の空間間隔を備えておおよそ直線状配列に配置された複数の毛をすく要素であって、それぞれの毛をすく要素は、皮膚接触表面と、皮膚接触表面からマニホールド体へ延在する中空の細長い部分を備え、細長い部分は、要素を出力端に接続し、中空の細長い部分は、細長い部分内の流体配送導管を囲い、画定し、導管は、チャンバと流体連通する、毛をすく要素と、すく頂点を備える最先端を備える皮膚接触表面と、流体配送オリフィスに位置し、導管内に配置される、流体配送要素とともにオリフィスを画定する、皮膚接触表面と、毛が流れる通路を画定する隣接する細長い部分と、を備える、装置が開示される。実施形態において、本発明の装置のそれぞれの毛が流れる通路は、隣接する細長い部分及び皮膚接触表面に垂直な態様で弓形であり、態様において、隣接する細長い部分の距離は、皮膚接触表面に近接して最小である。毛が流れる通路は、細長い部分及び皮膚接触表面に垂直な態様でおおよそ鍵穴形状である、請求項１に記載の装置。実施形態において、皮膚接触表面の形状は、略レンズ形状である。実施形態において、すく頂点は、丸くなっている。実施形態において、本発明の装置の皮膚接触表面は、後縁を備え、配送オリフィスの周りの最先端から外側に、その後後縁に向かって内側に先細りする。実施形態において、流体配送要素は（ａ）チャンバと流体連通し、配送オリフィスに延在する毛管作用で運ぶ要素、または（ｂ）配送オリフィスに捕らえられ、チャンバと流体連通するローラボールから選択される。実施形態において、本発明の装置はさらに流体配送導管及びチャンバ内に配置された液体化粧品及び／または栄養補助の製剤を備える。実施形態において、流体配送要素は、水のような粘度で流体を配送する効果があり、流体は、化粧品及び／または皮膚の栄養補助の製剤である。いくつかの実施形態において、本発明の装置はさらに本体の入力端に取り付けられた中空の供給要素であって、中空の供給要素は、チャンバと流体連通する流体リザーバを画定する、中空の供給要素を備え、流体供給要素は、ホース、固定された容器、または取り外し可能な容器から選択される。
【０００６】
いくつかの実施形態において、本発明の装置は、さらに電流源及びアレイの複数の接触電極を備え、毛をすく要素のそれぞれの皮膚接触表面は、電流源と電気接触する接触電極を備える。
【０００７】
本明細書では、毛を有する皮膚に流体を塗布する方法であって、方法は、人または動物の対象の皮膚及び／または毛の第１の領域に装置の皮膚接触表面を適用するステップと、第１の期間、装置のすく頂点の方向のどちらか１つに装置を動かしながら、皮膚接触表面と皮膚及び／または毛の第２の領域の間の接触を維持するステップと、皮膚及び／または毛から皮膚接触表面を取り除くステップと、を備え、流体の少なくとも一部は、皮膚及び／または毛の第２の領域の一部または全ての上に層として堆積される、方法が開示される。
【図面の簡単な説明】
【０００８】
【図１】塗布装置の実施形態の1つの等角図である。
【図２】流体配送要素の表面に対しておおよそ垂直に切り取られた図１の装置の実施形態の図である。
【図３】内部態様を示す図１で示される第１の実施形態の装置の切り取り図である。
【図４】装置の別の実施形態の断面図であり、実施形態は、流体配送要素として機能する毛管作用で運ぶ要素を有し、実施形態は、流体供給要素として取り外し可能な容器を備える。
【図５】装置の別の実施形態の断面図であり、実施形態は、ローラボールと、それと組み合わせた毛管作用で運ぶ要素を備え、装置は、均圧バルブを備えるキャップを備える。
【図６】流体配送要素のすく頂点の方向に動かされる装置の図であり、装置がどのように毛の流れる通路内に配置された束の中に毛を集めるかを示す。
【図７】ガルバニック効果のために用いられる共通電極を備える装置の実施形態の概略図である。
【図８】流体配送要素の皮膚接触表面のためのいくつかの可能な形状を示す。
【図９】流体配送要素の皮膚接触表面のためのいくつかの可能な形状を示す。
【図１０】流体配送要素の皮膚接触表面のためのいくつかの可能な形状を示す。
【図１１】流体配送要素の皮膚接触表面のためのいくつかの可能な形状を示す。
【図１２】ガルバニック効果のために用いられる電極を備える別の実施形態の概略図である。
【図１３】皮膚及び／または毛に適用される皮膚接触表面を備える毛を有する皮膚表面に沿ったすく頂点の方向に装置を（ａ）、（ｂ）及び（ｃ）と続けて動作させる３つの一時的な段階の毛をすく要素の概略図である。
【図１４】皮膚及び／または毛に適用される皮膚接触表面を備える毛を有する皮膚表面に沿ったすく頂点の方向に装置を（ａ）、（ｂ）及び（ｃ）と続けて動作させる３つの一時的な段階の毛をすく要素の概略側面図である。
【図１５】皮膚及び／または毛に適用される皮膚接触表面を備える毛を有する皮膚表面に沿ったすく頂点の方向に装置を（ａ）、（ｂ）及び（ｃ）と続けて動作させる３つの一時的な段階の断面の毛をすく要素の概略図である。
【図１６】流体供給要素として取り外し可能な容器と、本体の一部としてハンドルを含む、装置の1つの実施形態の等角図である。
【発明を実施するための形態】
【０００９】
本開示は、好ましい実施形態の参照を提供するが、当業者は、変更が、請求項の精神及び範囲から逸脱することなく、形態において、詳細になされることを認識するであろう。様々な実施形態は、図を参照して詳細に記載され、類似の符号は、いくつかの図を通して、類似の部分及び部品を表す。様々な実施形態の参照は、本明細書に添付された請求項の範囲を限定しない。さらに、この明細書に記載された全ての実施例は、限定する意図はなく、単に添付された請求項のための複数の可能な実施形態の一部を記載する。
【００１０】
（定義）
他に定義されることがなければ、本明細書で用いられる全ての技術及び科学用語は、当業者によって共通に理解されるのと同じ意味を有する。矛盾がある場合、本文献が、定義を含めて、優先する。好ましい方法と材料は、以下に記載されが、本明細書に記載されたそれらと類似または等価な方法と材料が、本発明の実施または試験において用いることができる。本明細書で言及する全ての公開公報、特許出願、特許、またはその他の文献は、その全てを援用する。本明細書で開示された材料、方法及び実施例は、説明のためであって、限定する意図はない。
【００１１】
本明細書で用いられるように、用語「備える」（ｃｏｍｐｒｉｓｅ（ｓ））、「含む」（ｉｎｃｌｕｄｅ（ｓ））、「有する」（ｈａｖｉｎｇ）、「有する」（ｈａｓ）、「できる」（ｃａｎ）、「含む」（ｃｏｎｔａｉｎ（ｓ））及びそれらのバリエーションは、追加の行為または構造の可能性を除外しないオープンエンドの暫定の語句、用語または単語であることを意図する。単数形「１つの」（ａ）、「そして」（ａｎｄ）及び「その」（ｔｈｅ）は、内容が明確に他を指示しなければ、複数の参照を含む。本開示は、また明確に記載されまたはそうではない、本明細書に存在する実施形態または要素「を備える」、「からなる」及び「本質的にからなる」他の実施形態を期待する。
【００１２】
本明細書で用いられるように、用語「任意の」（ｏｐｔｉｏｎａｌ）または「任意に」（ｏｐｔｉｏｎａｌｌｙ）は、次に記載されるイベントまたは環境が、しかし起こる必要がないこと、及び記載が、イベントまたは環境が起きる例及びそれが起きない例を含むことを意味する。
【００１３】
本明細書で用いられるように、本開示の実施形態を記載する際に用いられる、例えば、大きさ、期間、体積、圧力、摩擦係数、組成の材料の量、電流強度またはパルス幅、及び類似の値、その範囲を修飾する、用語「約」（ａｂｏｕｔ）は、例えば典型的な測定手順によって、これらの手順で不注意のエラーによって、製造工程、原料、方法を実行するために用いられる出発物質または材料の純度、または類似の近い考慮における違いによって、起きる、数量のバリエーションを言う。用語「約」によって修飾されたとき、本明細書に添付された請求項は、これらの量に同等なものを含む。さらに、「約」が、例えば「約１から５」などの値の任意の範囲を記載するために用いられる全ての実施形態において、特に内容によって限定されなければ、記載は、「約１から約５」及び／または「１から約５」及び／または「約１から５」及び／または「１から５」を意味する。
【００１４】
本明細書で用いられるように、本開示の実施形態を記載する際に用いられる、例えば、タイプ、組成の材料の量、特性、測定可能量、方法、位置、値、または範囲を修飾する、用語「実質的に」（ｓｕｂｓｔａｎｔｉａｌｌｙ）は、意図された組成、特性、量、方法、位置、値、または範囲を否定する方法で、全ての記載されたその組成、特性、量、方法、位置、値、または範囲に影響を与えないバリエーションを言う。意図された特性は、単にその限定しない実施例を手段として、弾性、係数、硬度及び形状を含む。意図された位置は、第２の処理特徴に対する第１の処理特徴の位置を含む。用語「実質的に」によって修飾されたとき、本明細書に添付された請求項は、材料のこれらのタイプ及び量に同等なものを含む。
【００１５】
本明細書で用いられるように、用語「動物」は、人を排除しない哺乳類を言う。
【００１６】
本明細書で用いられるように、用語「使用者」は、対象の人または動物に本発明の装置、器具、または方法を利用する人を意味する。いくつかの実施形態において、使用者は、対象の人でもある。特に指定しない限り、用語「使用者」は、本発明の装置または方法を利用する使用者が対象でない実施形態と、本発明の装置または方法を利用する使用者が対象の人である実施形態を含む。
【００１７】
本明細書で用いられるように、「対象」（ｓｕｂｊｅｃｔ）は、流体が、本発明の装置によって塗布される皮膚を持つ人または動物を意味する。
【００１８】
本明細書で用いられるように、「水のような粘度」は、１５から４０℃の範囲で、測定された動粘度が約０．３ｃＰから約５ｃＰを意味する。
【００１９】
本明細書で用いられるように、用語「皮膚」は、特に指定しない限り、哺乳類の皮膚、動物または人を意味し、人の頭の頭皮を含む。
【００２０】
本明細書で用いられるように、特に指定しない限り、用語「毛」は、人の毛、動物の毛及び動物の毛皮を含む。
【００２１】
本明細書で用いられるように、用語「レンズ形状」は、断面で両凸レンズの形状に似ているまたは近い範囲の形状を言う。本明細書で楕円形状、ヴェシカパイシスの形状、同じ半径で２つの円を交差させ、円は、それぞれの円の中央が他の外周に横たわるように交差する形状、長軸に沿った断面においてレモンの形状、などを含むように解釈される。
【００２２】
本明細書で用いられるように、用語「スタジアム」（ｓｔａｄｉｕｍ）、「オブラウンド」（ｏｂｒｏｕｎｄ）は、長方形に取り付けられた２つの準円を備える長方形の外周の形状で、それぞれの準円は、長方形の短辺と同じ長さの直径を有し、それぞれの準円は、長方形の１つの短辺に取り付けられ、準円の端部は、短辺の端部に取り付けられる形状に似たまたは近い形状の範囲を言うために用いられる。用語「オブラウンド」は、長方形に取り付けられた２つの同一の弧を備える長方形の外周の形状で、それぞれの弧の端部の間の直線距離は、長方形の短辺と同じ長さを有し、それぞれの弧は、異なる長方形の１つの短辺に取り付けられる形状に似たまたは近い形状の範囲を含む。
【００２３】
（第１の実施形態）
皮膚に液体を局所的に塗布する手持ちの塗布器が通常である。多くの場合において、そのような塗布器は、例えば単一のオリフィスを画定する単一のノズルを備えるボトルまたは他の容器である、プラスチックディスペンサ程度である。使用者は、塗布器を絞り、それゆえ、大気圧以上にその液体内容物の圧力を上げる。ディスペンサ内の液体と周囲の空気圧の圧力差により、液体の内容物は、ノズルから追い出される。ディスペンサを保持する使用者は、皮膚にノズルを接触し、皮膚に対してまたは皮膚に非常に近接してノズルを保持する。使用者は、皮膚に渡ってディスペンサを動かし、それゆえ皮膚に局所的な液体の線を置く。そのような塗布は、カバーする皮膚の領域の割合が低く、皮膚に横たわる及び／または皮膚から生える全ての毛に対する皮膚に優先的に付着し、皮膚をぬらす液体の特性に依存する。
【００２４】
複数のノズルがそのようなディスペンサに供給されても、皮膚の単位面積あたりの塗布率は、わずかな改善のみがなされる。皮膚表面の領域の有利に大きな割合をカバーするために、ノズルから分配される液体内容物は、さらに皮膚を覆い、皮膚から成長する毛または毛皮の中に毛管作用で運ぶよりもむしろ皮膚表面に広がるように設計されることを必要とする。さらに局所的な製剤が毛または毛皮でなく皮膚または頭皮に塗布されるために、毛または毛皮を動かし、それぞれのノズルの周りの皮膚から離れて持ち上げる方法に問題がある。
【００２５】
いくつかの塗布器は、液体製剤と流体連通する位置に配置された塗布器ボールを備える一端にオリフィスを有するプラスチックボトルを備える。使用者は、塗布器を逆さままたは部分的に逆さまな位置に保持し、重力により、塗布器内に配置された塗布器ボールの表面に液体内容物を供給する。皮膚の表面及び皮膚から生える毛上にボールを回転させることで、液体製剤で被覆された塗布器ボール表面がさらされる。製剤は、皮膚及び皮膚から成長する毛に接触し、少なくともその一部に移動する。そのような「単一のボール塗布器」は、例えば、腕から下の皮膚に制汗剤及び体臭防止剤を塗布するために用いられる。製剤は、多くの選択性なく皮膚及び毛に塗布されるが、通常これらの皮膚の位置は毛の密度が低いので、塗布される局所的な液体は特に高い割合で、腕の下の毛に失われない。腕の下の皮膚表面に液体製剤を従来の高い割合で供給するために、ボールは、大きく作られ、塗布器は、腕の下の皮膚及び毛に渡り区別なく制汗剤と体臭防止剤を塗布する。そのような塗布器は、皮膚上に横たわる毛または毛皮にその内容物を単純に塗布するので、これらの装置は、例えば厚い毛を有する頭皮または毛皮を有する皮膚などの皮膚での使用に適切でない。毛は、塗布器ボールと皮膚表面の間にそろって横たわる。
【００２６】
制汗剤及び／または体臭防止剤を分配するために用いられる塗布器のさらなるタイプは、複数のノズルを画定する丸まった塗布器表面を備える。そのような塗布器は、液体またはゲル内容物を加圧する手段で供給される。そのような手段の一実施例は、ピストンまたはプランジャである。使用者は、ピストンまたはプランジャに力を与えるねじを回し、後者は、液体またはゲル内容物に圧力を与えるように押す。単一ボール塗布器のように、そのような「マルチノズル塗布器」は、厚い毛を有する皮膚表面に液体またはゲルを塗布するのに適さない。毛は、塗布器ノズルと皮膚表面の間にそろって横たわるので、むしろ、厚い毛を有するそのような皮膚にそのような塗布器を使用することにより、毛に製剤を塗布することになる。
【００２７】
毛皮を有する動物に局所的に製剤を塗布するために類似の塗布器がある。いくつかのノミ及びダニ製剤は分配可能な単一ノズルディスペンサによって投与される。多くのそのような製品は、蔓延から動物を保護するために夏期の月を通して月ごとに投与される。使用者は、例えば肩甲骨の間の毛または毛皮を手で分け、塗布器を絞って単一のスポットに液体内容物を塗る。
【００２８】
人の頭皮または毛を有する皮膚に局所的な塗布をするために設計された栄養補助の、化粧の、医療の、その他の液体及び／またはゲル製剤は皮膚に栄養を与えるためのオイル、クリーム、液体、及び／またはゲル製剤を含み、化粧用途、またはかゆみ、乾癬、真菌感染症、皮膚炎、乾燥肌、湿疹、頭皮濾胞炎、頭皮にきび、または肌の老化の処理を含む。
【００２９】
それらを組み込むいくつかの塗布器及びシステムは、例えばユタ州、プロボのＮＵ  ＳＫＩＮ（登録商標）社から入手可能なＮＵ  ＳＫＩＮ（登録商標）Ｇａｌｖａｎｉｃ  Ｓｐａ（登録商標）ＳｙｓｔｅｍＩＩなど、ガルバニック電流と関連する皮膚に液体を塗布するように設計される。
【００３０】
本明細書で記載された装置は、人の頭皮または厚い及び／または長い毛を有する皮膚、または毛または毛皮を有する動物の皮膚に液体栄養補助または医療製剤を塗布するための問題を解決し、本発明の装置は、皮膚から毛または毛皮を持ち上げ、そこに液体製剤を塗布する。
【００３１】
実施形態において、装置はガルバニックアタッチメントを備え、皮膚に栄養補助液体の局所的な塗布に続いてガルバニック処理がなされ、またはガルバニック処理を伴うことを可能にする。
【００３２】
実施形態において、毛が覆う皮膚表面に流体を塗布するための装置であって、装置は、チャンバを囲い、画定し、入力端と出力端を備える、中空のマニホールド体を備える。本発明の装置は、マニホールド体の出力端に取り付けられ、そこから延在し、隣接する毛をすく要素の間の空間間隔を備えておおよそ直線状配列に配置された複数の毛をすく要素であって、それぞれの毛をすく要素は、皮膚接触表面と、皮膚接触表面からマニホールド体へ延在する中空の細長い部分を備え、細長い部分は、要素を出力端に接続し、それぞれの細長い部分は、中空であり、細長い部分内の流体配送導管を画定する、それぞれ毛をすく要素を備える。それぞれの皮膚接触表面は、すく頂点を備える最先端を備える。それぞれの皮膚接触表面は、流体配送オリフィスに位置し、流体配送導管内に配置される、流体配送要素を備えるオリフィスを画定し、隣接する細長い部分は、そこの間の毛が流れる通路を画定する。
【００３３】
実施形態において、中空のマニホールド体は、実質的にシェルであり、すなわち、中空の内部は、本体の体積の約７５％から約９９．５％を占める。実施形態において、中空の本体は、部分的に中空であり、そこに流体を保持することができる中空チャンバを画定し、チャンバは、本体の体積の約５０％から約７５％、実施形態において約２５％から約５０％、実施形態において約５％から約２５％を占める。本体は、そこから延在する複数の毛をすく要素を備える入力端と出力端を備える。実施形態において、本体の入力端の断面は、オブラウンド、楕円、卵形、及び円から選択された形状を有する。実施形態において、本体の断面は、オブラウンド形状を有する。本体は、入力端及び出力端の間に流体連通を提供する。様々な実施形態において、流体は、入力端においてマニホールド体に入り、装置が使用されたとき、流体は、入力端から出力端におおよその方向に流れる。
【００３４】
それぞれの毛をすく要素は、皮膚接触表面と中空の細長い部分を備え、それぞれの中空の細長い部分は、それぞれの皮膚接触表面からマニホールド体に延在する。それぞれの細長い部分は、毛をすく表面からマニホールド体に延在する軸を有し、細長い部分は、軸の周りに対称である。実施形態において、軸はお互いに平行である。
【００３５】
実施形態において、毛をすく要素は、おおむね直線状配列に配置され、すなわち、軸は平行であり、軸の方向の平面視で、皮膚接触表面はまっすぐな線に配置される。他の実施形態において、毛をすく要素は、軸の方向の平面視で、弧状に配置される。実施形態において、複数の毛をすく要素の毛をすく要素は、空間間隔を有する一定間隔で間隔を開けられる。空間間隔は、１つの細長い部分の軸と隣接する細長い部分の軸の間の距離である。いくつかの実施形態において、空間間隔は、約１０ｍｍである。
【００３６】
実施形態において、流体配送要素は、（ａ）チャンバと流体連通し、配送オリフィスに延在する毛管作用で運ぶ要素、または（ｂ）配送オリフィスに捕らえられ、チャンバと流体連通するローラボールから選択される。毛管作用で運ぶ要素は、中空の細長い部分の方向に細長く、流体配送導管内に配置される。それぞれの流体配送導管は、流体配送オリフィスをチャンバに接続し、それによって、それぞれの流体配送オリフィス及びチャンバの間に流体連通を提供する。実施形態において、チャンバと流体連通する毛管作用で運ぶ要素は、流体配送導管内に配置される。いくつかの実施形態において、毛管作用で運ぶ要素は、流体配送要素であり、毛細管現象によって流体を流体配送オリフィスに供給する。いくつかのそのような実施形態において、毛管作用で運ぶ要素は、管状であり、流体配送オリフィスを満たす。使用者が、皮膚に皮膚接触表面を押しつけたとき、それぞれの毛管作用で運ぶ要素は、皮膚に接触し、装置及びその皮膚接触表面を、皮膚のすく頂点の方向に沿って動かすように、皮膚に流体を供給する。
【００３７】
他の実施形態において、流体配送要素は、流体配送オリフィス内に捕らえられるローラボールである。ローラボールは、ローラボールが流体配送オリフィス及び流体配送導管内に捕らえられるように、流体配送オリフィスの少なくとも一つの大きさより大きい直径を有する。実施形態において、流体配送オリフィスは、円であり、ローラボールの直径は、オリフィスの直径より大きい。そのような実施形態において、ローラボールは、皮膚接触表面に近位の流体配送導管内に配置され、毛管作用で運ぶ要素は、チャンバと流体接触し、ローラボールと接触する。流体配送導管内に配置されると、ローラボールを流体分散オリフィスに付勢する手段になり、毛管作用で運ぶ要素をローラボールに接触して付勢する手段になる。流体がチャンバ内に配置されたとき、毛管作用で運ぶ要素は、流体で満たされる。実施形態において、ローラボールを流体分散オリフィスに付勢する手段は、ばねを備え、ばねからなり、本質的にばねからなる。使用者は、ローラボールがローラボールを付勢する手段に対して流体配送オリフィス内に押される動作で、皮膚表面に皮膚接触表面を付勢する。動作によりまた、皮膚接触表面が皮膚に接触し、ローラボールの表面の一部は、皮膚と接触したままである。使用者がすく頂点の方向に装置を動かし、装置の皮膚接触表面と皮膚の間の接触を維持するとき、ローラボールは回転し、ローラボールのそれぞれの表面が、ローラボールと、関連する流体配送導管内のその関連する毛管作用で運ぶ要素との間の接触領域を通るので、毛管作用で運ぶ要素は、ローラボールの表面に流体の膜を堆積する。ローラボールは回転するので、ローラボールの表面の流体の膜は、流体配送オリフィスにさらされるようになり、表面に流体を運ぶそれぞれのローラボールの表面の一部は、皮膚と接触するので、流体は、皮膚に堆積する。流体は、チャンバから毛管作用で運ぶ要素を通って、ローラボールに流れ、皮膚に塗布される。流体の膜は、皮膚の領域に塗布され、皮膚接触表面と皮膚の間に集まる。
【００３８】
それぞれのすく要素は、分離され、チャンバと流体連通するか、または１以上または全ての毛管作用で運ぶ要素は、本体内に配置されたマニホールドと接合することができ、マニホールドは、１以上の毛管作用で運ぶ要素及びチャンバと流体連通する。実施形態において、それゆえ、装置は、１以上の毛管作用で運ぶ要素とチャンバの間に延在するマニホールドを備え、マニホールドは、チャンバ及び１以上の毛管作用で運ぶ要素と流体連通する。実施形態において、マニホールドは、装置内に配置された全ての毛管作用で運ぶ要素及びチャンバの間に延在し、毛管作用で運ぶ要素及びチャンバと流体連通する。実施形態において、マニホールドは、毛管作用で運ぶ要素と同じ材料を備える。
【００３９】
使用者が、それゆえ皮膚と接触する皮膚接触表面を備えるすく頂点の方向に装置を動かすので、皮膚を覆い、そこから生える毛は、すく頂点の動きによって分けられ、そのどちらかの側に移動され、それぞれの細長い部分の下部上に持ち上げられ、毛が流れる通路に集められ、それによって、有利なことに皮膚表面から離れて保持される。図６は、使用者が装置を動かしたとき、毛の流れる通路に集められた毛のイメージを示す。図１３、１４、及び１５は、プロセスの異なる態様を示す。
【００４０】
図１３、１４、及び１５のそれぞれは、概略的に（ａ）、（ｂ）、（ｃ）の順番で、毛を通る毛をすく要素の一連の動作の３つの異なる一時的な段階を示す。図１３、１４及び１５を参照しながら、使用者（図示せず）は、皮膚の領域及び／または毛２９の層で覆われた皮膚３６に隣接する毛に、皮膚接触表面６を適用する。もし毛が、皮膚及び／または毛の第１の領域において特定の方向に横たわるならば、使用者は、装置のすく頂点１０が、毛２９が横たわる方向に略沿って示す方向に合わせられるように、皮膚及び／または毛の第１の領域に装置の皮膚接触表面６を適用する。使用者は、皮膚接触表面と皮膚及び／または毛の間の接触を維持し、皮膚３６の表面に実質的に平行に、皮膚及び／または毛の表面に渡ってすく頂点の方向に、すなわち、毛が、個々の毛に対して毛の根元に向かってまたは毛の根元からはなれて横たわる方向に略沿う動きに装置を動かす。使用者は、皮膚接触表面を動かすので、毛は、図１３（ｂ）、１４（ｂ）、及び１５（ｃ）に示されるように、集合的に細長い部分４の周りを分離し、毛をすく要素の広くて低い部分をずり上げ、図１５（ｃ）に表されるように毛が流れる通路に配置される束に集まる。
【００４１】
皮膚接触表面、それぞれの毛をすく要素、及びその細長い部分の近位は、皮膚接触表面から距離を増加するに従って、軸に沿って先細りする。細長い部分は、細長い部分の軸に垂直な両方の次元で先細りする。細長い部分は、細長い部分の軸に垂直な２つの次元で先細りするので、細長い部分が皮膚接触表面に延在するとき、それは、広がった下部または「下部」を備える。いくつかの実施形態において、細長い部分がマニホールド体に到達するとき、それぞれの毛をすく要素及びその細長い部分の周囲の長さは、最小に達し、その後、再び拡大する。実施形態において、隣接する毛をすく要素は、皮膚接触表面の近くで互いに最も近い。違う言い方をすると、そのような実施形態において、隣接する毛をすく要素の距離は、皮膚接触表面において最も小さくまたは皮膚接触表面に近接する。
【００４２】
実施形態において、毛をすく要素のアレイのそれぞれの接触表面は、同じ形状と領域を有する。皮膚接触表面は、最先端と後縁を備える。いくつかの実施形態において、最先端と後縁は、それぞれすく頂点を備える。他の実施形態において、最先端は、すく頂点を備え、後縁は、すく頂点を備えない。最先端と後縁がそれぞれすく頂点を備える実施形態において、使用者は、毛を有する皮膚の表面に装置の皮膚接触表面を適用し、すく頂点の２つの方向のどちらかに装置を動かすことによって、皮膚の表面に流体を塗布できる。皮膚接触表面の最先端は、すく頂点において出会い、すく頂点から延在し、後縁のおおよその方向においてお互いから枝分かれする２つの半分を含む。実施形態において、２つの半分は、凸面である。
【００４３】
皮膚接触表面の形状の典型的な実施形態は、図８−１１に示される。実施形態において、皮膚接触表面の形状は、略レンズ形状、略ルーローの三角形、または略洋なし形状から選択される。皮膚接触表面の形状が、略レンズ形状である実施形態において、レンズ形状は、長軸と短軸を有する。長軸は、最先端のすく頂点から後縁のすく頂点に延在する。短軸は、長軸と垂直または略垂直である。実施形態において、短軸に沿った皮膚接触表面の幅と長軸に沿った皮膚接触表面の長さの比は、約６：１８から１０：１２、実施形態において約１：２から１０：１２、実施形態において３：５から１０：１２、実施形態において約７：１０である。いくつかのそのような実施形態において、短軸に沿った皮膚接触表面の幅は、約８．６ｍｍであり、長軸に沿った皮膚接触表面の長さは約１２．１ｍｍである。いくつかの実施形態において、それぞれの皮膚接触表面は、それぞれの細長い部分の軸と略垂直である。言い換えると、皮膚接触表面は、垂直に傾く。実施形態において、皮膚接触表面は、単一面内にある。
【００４４】
実施形態において、すく頂点は、丸まっている。丸まったすく頂点は、区画の頂点は、１次元点で終端されず、頂点は、細いが、尖っているよりむしろおおよそ弓形であることを意味する。出願人は、丸まったすく頂点は、本発明の装置がすく頂点の一方向に動かされる皮膚を有し、及び皮膚接触表面が適用される皮膚を有する対象にとってより快適であることを発見した。しかしながら、細いすく頂点は、そのような動作の間、皮膚から毛を持ち上げることを助ける。
【００４５】
実施形態において、細長い部分の皮膚接触表面に平行な断面は、皮膚接触表面とほぼ同じ形状であるがより低い領域を有する。細長い部分は、それらが皮膚接触表面からマニホールド体に向かって延在するとき、先細りする。実施形態において、細長い部分は、それらが皮膚接触表面からマニホールド体に向かって延在するとき先細りし、その後細長い部分は、それらがマニホールド体において接合するまで拡大する。そのような実施形態において、隣接する細長い部分の最も近い距離は、皮膚接触表面から離れる細長い部分の軸に沿って増加し、距離は、再びマニホールド体に到達して減る前に最大になる。隣接する毛をすく要素の間の距離は、その皮膚接触表面において最小であり、その皮膚接触表面に近接するが、隣接する皮膚接触表面の間に間隙がある。以下に記載されるように、そのような間隙は、毛の流れる通路が、皮膚の上に持ち上げられた毛を受け入れることができる必要がある。隣接する細長い部分の形状は、隣接する細長い部分の間の毛が流れる通路を画定する。実施形態において、それぞれの毛が流れる通路は、おおよそ弓形である。実施形態において、細長い部分及び毛をすく要素のアレイに垂直に見たとき、（すなわち、見る方向がすく頂点に対して正面であるとき）毛が流れる通路は、鍵穴形状であり、大文字のオメガ（Ω）と、皮膚接触表面の一部に対応するその足に似ている。出願人は、皮膚接触表面から距離が増加するにつれて細長い部分の軸に垂直な２つの次元が先細りする、細長い部分と毛をすく要素によって画定されるそのような鍵穴形状を有する毛が流れる通路は、皮膚に優先的に流体を塗布する際に有利であることを発見した。使用者が、上記のように皮膚表面に対して実質的に平坦な皮膚接触表面を備える、すく頂点の方向にそのような毛をすく要素のアレイを動かすとき、皮膚を覆い、皮膚から成長する毛は、毛をすく要素の動作によって分けられ、それぞれのすく頂点のいずれかの側に分けられ、図６で示されるように、毛が流れる通路の束に集める下部上をずり上がる。毛は、それゆえ装置及び装置に取り付けられた毛をすく要素の動作によって皮膚から離れて動かされ、毛をすく要素の動作は、毛が流れる通路に毛を持ち上げ、毛を集める。毛は、持ち上げられ、それゆえ皮膚接触表面に近位な皮膚表面のきれいさを保持する。装置の同じ動きにより、また皮膚上に流体を塗布する。
【００４６】
実施形態において、装置はさらに本体の入力端に取り付けられた中空の流体供給要素を備え、流体供給要素は、流体リザーバを画定し、流体リザーバは、チャンバと流体連通する。実施形態において、流体供給要素は、ホース、固定された容器、または取り外し可能な容器から選択される。実施形態において、取り外し可能な容器は、補給器であり、リザーバは、流体で満たされるまたは流体で部分的に満たされる。実施形態において、本明細書で記載された発明の装置の実施形態のいずれかと補給器を備え、それらからなり、本質的にそれらからなる器具が供給され、補給器は、流体とそのための容器を備え、容器は、流体で満たされるかまたは部分的に満たされる。実施形態において、補給器は、装置の本体の入力端へのアタッチメントに適合された取り外し可能な容器である。
【００４７】
本発明の実施形態は、これから図を参照してさらに詳細に記載されるであろう。
【００４８】
図１は、本発明の１つの実施形態を示す。図１を参照しながら、装置１は、入力端２８と出力端２７を備える本体３０を備える。本体３０の入力端における断面はオブラウンド形状を有する。入力端２８における本体は、上面３１と底面３２を有する。複数の毛をすく要素３は、本体３０の出力端２７から延在し、出力端２７に接合される。それぞれの毛をすく要素３は、マニホールド体の出力端２７から延在する関連する細長い部分４を有する。それぞれの毛をすく要素は、皮膚接触表面６で終端し、複数の毛をすく要素は、複数の皮膚接触表面で終端し、複数の皮膚接触表面は、実質的に単一平面内にある。それぞれの皮膚接触表面は、最先端８及び後縁９を備える。最先端と後縁のそれぞれは、すく頂点１０を備える。それぞれの皮膚接触表面は、そこに画定された関連する流体配送オリフィス１１を有する。それぞれの細長い部分は、皮膚接触表面に延在する関連する軸を有し、それぞれの皮膚接触表面は、細長い部分のそれぞれの軸に略垂直であり、それぞれの細長い部分は、軸の周りにおおよそ対称である。流体配送オリフィス１１は円形状である。それぞれの細長い部分は、図１で示されるように、皮膚接触表面から本体に向かって先細りし、皮膚接触表面に達し、そこに近接して、細長い部分は、下部３３に２次元で広がる。細長い部分及びそれらを備える毛をすく要素は、それゆえその間に弓形の毛が流れる通路１４を画定する。実施形態において、毛が流れる通路は、図３で示されるように、概ね鍵穴形状を有する。間隙１５が距離２５未満である条件を備える、他の形状が可能である。実施形態において、細長い部分及び毛をすく要素のアレイに垂直に見たとき、（すなわち、見る方向がすく頂点に対して正面であるとき）それぞれの毛が流れる通路は、セリフのついたローマ字Ｕのような形状であり、間隙１５は距離２５未満である。
【００４９】
細長い部分の軸と皮膚接触表面の平面に垂直の態様において、入力端２８から出力端２７に延在する本体３０は、その態様において、細長い部分４の軸が本体の上面３１に対して斜めであるように、曲がっているか湾曲している。これは、（装置の一部でなく）交差する構造線３４によって図１に示される。実施形態において、使用者は、使用者の手で本体３０によって装置を保持し、使用者は、皮膚表面を覆う毛を持ち上げ、皮膚接触表面６が皮膚と接触するように（図示せず）皮膚表面に皮膚接触表面のアレイを適用する。使用者は、その後、毛を解放する。交差線３３によって図１に示される曲がりまたは湾曲は、装置を保持するのに使用者に快適な角度を提供しつつ、皮膚に対して複数の皮膚接触表面６を維持する。
【００５０】
ローラボール１６が、図１で示されるそれぞれの配送導管内に配置される。図１、２及び３に示される実施形態において、それぞれの流体配送要素１２は、細長い部分に中の奥まったところに置かれたローラボール１６である。それぞれのローラボールの一部がそこから突き出るように、それぞれの流体配送オリフィスにそれぞれのローラボールを付勢するばね（図示せず）が、それぞれの流体配送導管内に配置される。使用者は、皮膚に対して皮膚接触表面を維持する反対の力を与え、反対の力は、それぞれの関連する流体配送オリフィスにローラボールを押しつけるばねの集合体の力に対抗し、前記反対の力は、それらそれぞれの流体配送導管にローラボールを格納できるように推し進め、それぞれのローラボールは、皮膚接触表面と同じ平面におおよそある点で実質的に皮膚と接触する。
【００５１】
図１に示されるものと同じ装置の実施形態は、図２の異なる態様に示される。皮膚接触表面６は、空間間隔５を有する規則的な間隔で配置される。皮膚接触表面は、隣接する毛をすく要素の間の最も近い距離である、間隙１５を画定する。皮膚接触表面のそれぞれは、皮膚接触表面６の中心の周りに対称に配置された最先端８と後縁９を備える。最先端と後縁はそれぞれ１つのすく頂点１０を備える。それぞれの皮膚接触表面は、略レンズ形状であり、細長い部分の軸の周りに対称である。それぞれの皮膚接触表面６は、実質的に円の流体配送オリフィス１１を画定する。オリフィスに関連する実質的に球のローラボール１６は、それぞれの分散オリフィス内に配置され、分散オリフィスによって捕らえられる。それぞれのローラボールは、そこに関連する流体配送オリフィスのそれより大きい直径を有する。それぞれそこに関連する配送オリフィスの中のローラボール１６を押しつける圧力がないとき、それぞれのローラボールは、実質的にそれぞれの流体配送オリフィスを満たす。ローラボールは、実質的に自由に回転し、ローラボールは、そこに正接の力を与えて回転する。
【００５２】
図３は、図１及び図２で示される装置の実施形態の別の態様を示す。図３は、流体配送導管７を明らかにする断面図を示す。ローラボール１６及び関連する毛管作用で運ぶ要素１３は、それぞれの流体配送導管内に配置される。明確化のため、１つの毛管作用で運ぶ要素１３のみが図３で示される。それぞれの毛管作用で運ぶ要素１３の一部は、ローラボール１６の表面の一部に接触する。実施形態において、毛管作用で運ぶ要素は、概略的に図３で示されるように、ローラボールの表面に順応する形状にされる。毛管作用で運ぶ要素は、塗布のために流体を保持するチャンバ２と流体連通する。流体配送オリフィスにローラボールを付勢するための手段３５は、それぞれのローラボールと関連付けられ、それぞれの細長い部分４内に配置される。ローラボールを付勢する手段は、細長い部分の少なくとも１つの点または位置において、細長い部分４に動かない付加されたばねであり、その点または位置からローラボールに延在し、ばねは、ローラボールの略半径方向に圧縮され、流体配送オリフィスの方向にローラボールを付勢する。使用者が皮膚の表面（図示せず）に対して装置１を押しつけるとき、圧力は、ローラボールに与えられ、それぞれのローラボールは、流体配送オリフィスからはなれた手段に対して付勢される。少なくとも接触点は、ローラボールと皮膚（図示せず）の間に残る。使用者が最先端または後縁のすく頂点の方向の一方向に装置１を動かすので、トルクは、毛管作用で運ぶ要素を過ぎて回るローラボール１６に働く。それぞれの毛管作用で運ぶ要素は、チャンバ２と流体連通し、流体は、チャンバ（図示せず）内に配置される。それは、接触する毛管作用で運ぶ要素の一部を過ぎて回転するので、流体は、毛管作用で運ぶ要素を貫通し、それぞれの毛管作用で運ぶ要素は、ローラボールの表面上の流体を堆積する。ローラボールの一部が、皮膚に流体を堆積するので、反対の部分は、毛管作用で運ぶ要素からさらなる流体を受け入れる。
【００５３】
使用者が、すく要素の方向の１つに装置を動かすので、毛は間隙１５を通り、上記のように、毛が流れる通路１４に集められる。実施形態において、毛の束は、図６で示されるように、それぞれの毛が流れる通路に集まる。有利なことに、間隙１５は、隣接する毛をすく要素２５の最大の距離より小さい（例えば図３で示される）。装置の動作は、毛が、移動され、毛が流れる通路１４に配置される力を与える。隣接する細長い部分２５の最大距離よりも小さい間隙１５は、毛が通路に移動されるとすぐに、毛が流れる通路内に毛を保持することを助ける。実施形態において、間隙１５と距離２５の比は、約０．２３から約０．９６、実施形態において、約０．２５から約０．７０、実施形態において、約０．３から約０．６または実施形態において約０．３４から約０．５１である。
【００５４】
図４は、本発明の実施形態の側面図を示し、それぞれの流体配送要素４０１２は、毛管作用で運ぶ要素４０１３を備え、毛管作用で運ぶ要素４０１３からなり、本質的に毛管作用で運ぶ要素４０１３からなる。流体供給要素４０１８は、中空であり、流体リザーバ４０１９を画定する。流体供給要素４０１８は、当該技術分野で既知の任意の１以上のアタッチメント手段によって、流体リザーバ４０１９の端部４０３７において、本体４０３０の端部４０２８に取り外し可能に取り付けられる。いくつかの実施形態において、流体供給要素４０１８は、ねじ山、実施形態においてバヨネットフィッティング、及び／または実施形態において、１以上のクリップによって、端部４０２８に取り付けられる。実施形態において、流体リザーバ４０１９は、チャンバ４０２以上の容積を有する。いくつかの実施形態において、流体供給要素４０１８は、補給器の一部として使用者に供給され、補給器は、中空の取り外し可能な容器４０２０を備え、中空の取り外し可能な容器は、そこに流体リザーバを画定し、端部４０３７に取り付けられたそれのためのキャップまたはシール（図示せず）を有する。実施形態において、流体は、そのリザーバ４０１９内に配置される。いくつかの実施形態において、キャップまたはシールは、本体４０３０の端部４０２８に取り外し可能に取り付けられる。使用者が、端部４０２８に取り付けられたキャップまたはシール、流体供給要素４０１８の端部４０３７に取り付けられたキャップまたはシールを取り外し、装置４０１の本体４０３０の入力端４０２８に流体供給要素を取り付ける。実施形態においてキャップは、均圧バルブを備える。
【００５５】
他の実施形態において（図４で図示せず）、流体供給要素４０１８は、取り外し可能なキャップ２１によって置換され、チャンバ２は流体リザーバ１９である。いくつかの実施形態において、キャップ２１は、例えばねじ山など、当該技術分野で既知の手段によって、本体３０の端部２８に付加される。他の実施形態において、入力端２８は、封止され、本体３０は、チャンバ２と流体連通する開口を画定する。１つのそのような実施形態は図５で示される。開口は、本体３０の任意の都合のよい位置にある。実施形態において、本体３０は、上面３１と底面３２を有し（図１の実施例で示されるように）、開口は上面にある。キャップ２１は、取り外し可能であり、開口に配置される。いくつかの実施形態において、キャップ２１は、第１のねじ山を備え、第２のねじ山は、本体によって画定され、開口の外周の周りに配置され、キャップは、第１のねじ山と第２のねじ山を係合することによって装置に固定され、開口は、チャンバから流体の出口へ封止される。いくつかの実施形態において、均圧バルブ２２は、図５で示されるように、キャップ２１に配置される。他の実施形態において（図示せず）、均圧バルブ２２は、本体内に配置される。均圧バルブは、空気がチャンバ２に入ることができるが、チャンバ内に配置された流体がそこから流れたり、さもなければ漏出することを防ぐ、一方向バルブである。
【００５６】
上記のように、いくつかの実施形態において、流体配送要素は、ローラボールであり、流体を毛管作用で運ぶ要素１３は、チャンバ２からの流体を吸収する。そのような実施形態において、毛管作用で運ぶ要素は、チャンバ２から流体配送要素に移動するための流体のパスを画定する。毛管作用で運ぶ要素は、チャンバからローラボールに延在し、そこに接触する。使用者が皮膚、毛またはその他の表面に装置１を押しつけるとき、ローラボールは、さらに手段３５に対する流体配送導管に押される。使用者が、皮膚、毛またはその他の表面に対して装置を動かすとき、ローラボールのさらされた表面の点または領域は、そこと接触し、点または領域の間の摩擦により、ローラボールは回転する。ローラボールが、毛管作用で運ぶ要素を過ぎて回転するとき、流体はチャンバから毛管作用で運ぶ要素を流れ、ローラボールの表面に堆積し、表面は、毛管作用で運ぶ要素を過ぎて回転し、流体でぬれたローラボール表面を提供する。次に、使用者がすく頂点の１つの方向に装置を動かし続けたとき、流体でぬれたローラボールの表面は、流体配送オリフィスの中で、皮膚、毛、またはその他の表面の一部を過ぎて回転し、そこに流体を堆積する。
【００５７】
他の実施形態において、流体配送要素は、毛管作用で運ぶ要素からなる。そのような実施形態において、毛管作用で運ぶ要素は、チャンバから流体配送オリフィスに延在し、毛管作用で運ぶ要素の少なくとも一部は、流体配送オリフィスと水平かまたはそこから突き出る。そのような実施形態において、使用者がすく頂点の１つの方向に装置を動かし、皮膚、毛またはその他の表面に皮膚接触表面を押しつけるとき、流体配送要素である毛管作用で運ぶ要素は、皮膚、毛またはその他の表面に沿って動き、流体はそこに堆積する。流体は、チャンバから毛管作用で運ぶ要素、そして皮膚、毛またはその他の表面に流れる。
【００５８】
出願人は、焼結プラスチックウィックまたはシリカウィックが本発明の毛管作用で運ぶ要素として効果的であることを発見した。いくつかの実施形態において、焼結プラスチックウィックまたはシリカウィックは、流体配送要素として用いられる。他の実施形態において、焼結プラスチックまたはシリカウィックは、上記のようにローラボールと共同して用いられる。ローラボールと共同する焼結プラスチックまたはシリカウィックの利点は、使用者が皮膚、毛またはその他の表面に対して装置を動かす速度の、皮膚、毛またはその他の表面上に堆積された量の依存性の相対的欠如を含む。さらに、ウィックは、チャンバとローラボールの間の流体の中間リザーバとして機能し、装置が、使用期間の短い期間において起きるかもしれない、垂直下以外の方向に向けられたとき、液体が供給されるローラボールを保持する。中間リザーバとしての機能することにより、ローラボールが液体の欠乏に苦しむことを防ぎ、ローラボールが分配をやめることを防ぐ。
【００５９】
実施形態において、焼結プラスチックウィックの焼結プラスチックは、焼結ポリエチレンからなる。そのような材料は、例えばバージニア州、アッシュランドのＰｏｒｖａｉｒ  Ｆｉｌｔｒａｔｉｏｎ  Ｇｒｏｕｐ社から入手可能な、Ｖｙｏｎ（登録商標）焼結多孔質プラスチック材料として市販されている。孔の大きさは、特定の流体の所望の流量で仕立てられることができる。さらに、１以上のローラボールを含む装置のいくつかの実施形態において、それぞれのローラボール及び関連する流体配送オリフィスは、一緒にその間の流体配送間隙を画定する。実施形態において、間隙は、装置が使われないとき、ゼロまたは実質的にゼロである。使用者が上記のように、皮膚及び／または毛の一部にローラボールを適用したとき、装置に使用者によって与えられる圧力は、関連する流体オリフィスにローラボールを付勢する手段に対して、流体配送オリフィスから離れてローラボールを付勢し、それによってローラボールとオリフィスの間にある、それらの間で画定される流体配送間隙が開かれる。手段がばねである実施形態において、使用者が皮膚及び／または毛の一部に装置を適用する力が大きいと、流体配送間隙は大きくなる。そのような実施形態において、使用者は、力とともに流体の流量を制御できる。
【００６０】
図１６は、毛が覆う皮膚表面に流体を塗布するための本発明の装置実施形態を備える流体塗布アセンブリを示し、装置は、チャンバを囲い、画定し、入力端１６２８と出力端１６２７を備える、中空のマニホールド体１６３０と、マニホールド体の出力端に取り付けられ、そこから延在し、隣接する毛をすく要素の間の空間間隔を備えておおよそ直線状配列に配置された複数の毛をすく要素１６３であって、それぞれの毛をすく要素は、皮膚接触表面１６６と、皮膚接触表面からマニホールド体へ延在する中空の細長い部分を備え、細長い部分は、要素を出力端に接続し、それぞれの中空の細長い部分は、細長い部分内の流体配送導管を囲い、画定し、導管は、チャンバと流体連通する、毛をすく要素と、すく頂点１６１０を備える最先端を備えるそれぞれの毛をすく要素の皮膚接触表面と、流体配送オリフィスに位置し、導管内に配置される、ローラボール１６１６要素とともにオリフィス１６１１を画定する、皮膚接触表面と、毛が流れる通路１６１４を画定する隣接する細長い部分と、を備える。本体１６３０は、中空ハンドル１６４０を形成し、備える入力端１６２８に向かって狭くなる。入力端１６２８は、流体供給要素１６１８、エンドキャップ１６２１、または流体供給要素とエンドキャップの両方を受け入れるように構成される。
【００６１】
アセンブリは、装置を備え、装置からなり、本質的に装置からなる。実施形態において、アセンブリは、装置と、エンドキャップ、補給器、またはエンドキャップ及び補給器の両方から選択されたさらなる物品を備え、補給器は、中空の取り外し可能な容器、取り外し可能な容器の一端に取り付けられた取り外し可能な容器キャップ、及び中空容器内に配置された流体を備え、それらからなり、本質的にそれらからなる。実施形態において、アセンブリは、装置と、流体供給要素１６１８、エンドキャップ１６２１、容器キャップまたはそれらの組み合わせから選択された追加の物品を備え、それらからなり、本質的にそれらからなる。アセンブリのいくつかのそのような実施形態において、流体供給要素は、入力端１６２８に取り外し可能に取り付けられる。図１６で示される実施形態において、流体供給要素は、取り外し可能な容器１６２０を備え、それからなり、本質的にそれからなる。実施形態において、流体供給要素は、そこに流体リザーバを画定する中空の取り外し可能な容器１６２０と前記流体リザーバ内の前記容器に配置された毛がある皮膚表面に塗布するための流体を備え、それらからなり、本質的にそれらからなる。いくつかのそのような実施形態において、流体供給要素１６１８は、補給器の一部として供給され、補給器は、取り外し可能な容器１６２０、容器内に配置された流体、及び容器の一端に取り外し可能に取り付けられた取り外し可能な容器キャップを備える。実施形態において、アセンブリは、端部１６２８において装置への取り付けのために適応されたエンドキャップ１６２１を含む。アセンブリのいくつかのそのような実施形態において、エンドキャップ１６２１は、端部１６２８において、装置に取り外し可能に取り付けられる。いくつかのそのような実施形態において、エンドキャップ１６２１は、流体供給要素１６１８を取り付ける前に、装置から取り外される。取り外し可能な容器１６２０は、例えばねじ山などのアタッチメント手段によって入力端１６２８に取り付けるように構成され、及び容器キャップを受け入れるように構成され、またはさらに構成されている。
【００６２】
実施形態において、アセンブリは、装置と、ねじ山によって端部１６２８に取り外し可能に取り付けられた流体供給要素１６１８を備える。いくつかのそのような実施形態において、流体供給要素は、取り外し可能な容器１６２０からなり、本質的にそれからなり、取り外し可能な容器は、中空であり、それによって流体リザーバを画定する。アセンブリのそのような実施形態において、流体リザーバは、チャンバ、流体配送導管、及びローラボール１６１６と流体連通する。実施形態において、エンドキャップは、均圧バルブを備える。
【００６３】
実施形態において、アセンブリは、装置と入力端１６２８に取り外し可能に取り付けられたエンドキャップ１６２１を備え、流体は、装置のチャンバ内に配置される。
【００６４】
装置は、対象に使用者によって用いられる。いくつかの実施形態において、使用者は、使用者が彼または彼女自身の皮膚に流体を塗布すると言うべき対象である。他の実施形態において、使用者は、対象から分離する。そのような実施形態において、対象は人または人間でない動物（本明細書で「動物」）である。
【００６５】
（流体）
頭皮または頭皮及び毛に塗布するために適応された及び／または設計されたほとんど全ての流体は、本発明の装置及び方法によって塗布されることができる。実施形態において、流体は、皮膚及び／または毛に局所的に塗布するために考案された流体であり、流体は、栄養補助製剤、化粧品製剤、医療製剤、寄生虫駆除剤、または殺虫剤から選択される。実施例は、ユタ州プロボのＮＵ  ＳＫＩＮ（登録商標）社によって販売されているＮｕｔｒｉｏｌ（登録商標）Ｈａｉｒ  Ｆｉｔｎｅｓｓ  Ｔｒｅａｔｍｅｎｔ、ユタ州プロボのＮＵ  ＳＫＩＮ（登録商標）社によって販売されている、ＮＵ  ＳＫＩＮ（登録商標）Ｃｏｎｄｕｃｔｉｖｅ  Ｇｅｌ、毛の損失を和らげ、または戻すように考案され及び／または構成された流体、乾癬、ふけ、及び湿疹の処理をするように考案され及び／または構成された医療流体、または例えば、ノミ及び／ダニの防虫剤、シラミ処理剤などの、寄生虫と闘い、撃退し及び／または殺すように考案され及び／または構成された流体、かゆみを軽減するように考案され及び／または構成された流体、頭皮及び／または毛に栄養を与えるように考案され及び／または構成された流体、日焼けの兆候及び／またはダメージの改善するように考案され及び／または構成された流体、水和し、潤いを与え、皮膚に抗酸化物質及び／またはビタミンを提供するように設計された流体を含む皮膚に栄養を与えるように考案され及び／または構成された流体を含む。実施形態において、本明細書に記載された装置の実施形態のいずれかとユタ州プロボのＮＵ  ＳＫＩＮ（登録商標）社によって販売されているＮｕｔｒｉｏｌ（登録商標）Ｈａｉｒ  Ｆｉｔｎｅｓｓ  Ｔｒｅａｔｍｅｎｔ、ユタ州プロボのＮＵ  ＳＫＩＮ（登録商標）社によって販売されている、ＮＵ  ＳＫＩＮ（登録商標）Ｃｏｎｄｕｃｔｉｖｅ  Ｇｅｌ、育毛剤、乾癬処理剤、ふけ処理剤、湿疹処理剤、寄生虫駆除剤、殺虫剤、かゆみ軽減剤、栄養補助剤、日焼け処理剤、保湿剤、鎮痛剤またはそれらの任意の組み合わせなどから選択される流体と、を備える器具が提供される。
【００６６】
実施形態において、流体の動粘度は、１５から４０℃の間で、約０．１ｃＰから約１０ｃＰであり、実施形態において、約０．３ｃＰから約１０ｃＰである。
【００６７】
実施形態において、流体は、チキソトロピである。
【００６８】
（第２の実施形態）
いくつかの実施形態において、装置１は、さらに経皮電気刺激装置（ＴＥＳ）を備える。経皮電気刺激装置は、アレイ状の複数の接触電極と電流源を備える。経皮電気刺激装置は、接触電極及び皮膚の間に塗布された導電流体と組み合わせて用いられたとき、皮膚に低強度電流を与える。経皮電気刺激装置は、直流電流を供給できるガルバニックであり、または経皮電気神経刺激装置と同様に交流を供給できる。接触電極と皮膚の間に配置された導電流体に電流を通すことによって、流体、皮膚または流体と皮膚の両方に直接変化を起こすことができる。いくつかの実施形態において、導電流体の化学組成によって、流体に電流を通すと、流体に化学変化を生じ、皮膚に利益のある、健康回復する化学及び／または物理変化を生じる。本発明の装置は、皮膚表面の前記毛よりむしろ毛を有する皮膚表面に流体を優先的に塗布するように構成されるが、経皮電気刺激によって、流体によって生じる変化は、また毛に利益がある。本発明において、いくつかの実施形態において、１以上の皮膚接触表面はそれぞれそこに適応された接触電極を備える。いくつかのそのような実施形態において、装置の全ての皮膚接触表面は、接触電極を備え、それからなり、本質的にそれからなる。皮膚に流体を塗布する間、流体の層と膜は、接触電極と皮膚及び／または毛の間に集まる。流体が導電性であるならば、接触電極への電圧の印加により電流が、接触電極と皮膚及び／または毛の間に配置された流体の膜または層を通って流れる。そこを電流が通ることによって、接触電極と皮膚及び／または毛の間に配置された流体に生じる変化の限定しない例は、流体の及び／または流体の成分のポリマ化及び／またはゲル化、流体及び／またはその成分のイオン化、流体及び／またはその成分の酸化及び／または還元、電気浸透などを含む。経皮電気刺激装置は、治療のまたは医療の効果を備える１以上のイオン化合物を含む適切な導電流体と連結されたとき、イオン導入法であってもよい。典型的な経皮電気刺激装置が、米国食品医薬品局の規制番号８８２．５８９０を備えて振る舞う、または実質的に振る舞う装置を備え、それからなり、本質的にそれからなる。典型的な経皮電気刺激装置は、これに限定されるものではないが、ユタ州プロボのＮＵ  ＳＫＩＮ（登録商標）社によって販売されているａｇｅＬＯＣ（登録商標）Ｂｏｄｙ  Ｓｐａを含む。実施形態において、経皮電気刺激装置は、電流源と人の対象の、選択して処理可能な皮膚部分との間に塗布された導電流体と組み合わせて用いられたとき、皮膚に低強度、低周波数電流を供給する。経皮電気刺激装置は、工業で既知である。経皮電気刺激装置の例は、これに限定されるものではないが、本明細書ですべてを援用する米国特許第６，１１９，０３８号、第６，７６６，１９９号、第７，３０５，２６９号に記載されたそれら、ユタ州プロボのＮＵ  ＳＫＩＮ（登録商標）社によって販売されているａｇｅＬＯＣ（登録商標）Ｂｏｄｙ  Ｓｐａ、ＮＵ  ＳＫＩＮ（登録商標）社によって販売されているＮＵ  ＳＫＩＮ（登録商標）Ｆａｃｉａｌ  Ｓｐａを含む。いくつかの実施形態において、電流源は、使用者が、対象に皮膚に供給される電流のパルス幅、周波数または電流強度の１以上���変え、変調できる１以上のコントローラを含む。
【００６９】
実施形態において、毛が覆う皮膚表面に流体を塗布する装置は、２以上の接触電極７０１７を備える（図７参照）。いくつかのそのような実施形態において、すべての皮膚接触表面６の一部は、本発明の２つの典型的な実施形態を示す、図７、１２で示されるように、接触電極１７を備える。他の実施形態において、それぞれの毛をすく要素のすべての皮膚接触表面は、接触電極を備える。そのような実施形態において、本発明の装置はそれゆえ、複数の毛をすく要素に配置された複数の接触電極を備える。
【００７０】
電源は、少なくとも２つの端子に渡って電圧を与え、回路に電流を供給するように構成される。電源は、特に限定されず、直流電源または交流電源であることができる。電流は、固定されまたは可変である。可変電流は、単相または二相（二相）、交流または半波整流であることができる。電源は、２つの端子、電位（対アース）Ｖ１における一方の端子と電位Ｖ２（対アース）における一方の端子を備える。電源は、当該技術分野で既知である任意の電気供給であり、（電圧、電流、極性または波形及び／または１以上の制御スイッチまたは他の入力装置を選択及び制御するための）コントロール回路を含むことができる。電源は、装置に統合され、取り付けられ、またはそうでなければ組み込まれる。または電源は、１以上の配線によって装置に電気的に接続された分離したユニットである。
【００７１】
実施形態は、共通電極を備えるＴＥＳを含む。
【００７２】
装置７０１が接触電極７０１７を備えるいくつかの実施形態において、それぞれの接触電極７０１７は、電源７０３９の第１の端子と接触する単一の共通電極７０２６と電気的に接続する。１つのそのような実施形態は、図７で概略的に表される。そのような実施形態において、接触電極は、アースに対する電位に対して、お互いに合計で等しいまたはお互いに実質的に等しい。使用の際に、使用者は、装置７０１を保持し、対象の皮膚及び／または毛の領域に装置を適用し、皮膚接触表面及びそれらが集合的に備える接触電極は、対象の皮膚及び／または毛と接触する。そのような実施形態において、対象（使用者または他の誰か）は、電源の第２の端子と接触する電極である第２の共通電極７０３８を保持及び／またはそこに触れる。実施形態において、第２の共通電極は、器具の一部を形成するが、装置７０１に連結されず、装置から取り外されている。そのような実施形態において、器具は、装置７０１と第２の共通電極７０３８を備え、それらからなり、本質的にそれらからなる。第２の共通電極７０３８が装置７０１に取り付けられない実施形態において、対象は、第２の共通電極７０３８と電気的に接触し、例えば対象は第２の共通電極７０３８を保持する。使用者も対象である他の実施形態において、いくつかの実施形態において、第２の共通電極は、使用者が便利に装置を保持し、同時に一方の手で、第２の共通電極７０３８と接触電極にある位置において、本体７０３０、流体リザーバ７０１９、または装置７０１の任意のあつらえ向きの部分で装置７０１に取り付けられる。
【００７３】
装置が第２の共通電極を備える実施形態において、使用者は、彼または彼女自身の手に装置を握り、第２の共通電極７０３８と接触電極にさせ、電気回路を完成する。電気回路は、電源７０３９を備える。電源は、回路に電動の力を与える。十分な電圧の電動の力が、回路に与えられ、装置７０１が皮膚の領域に適用されたとき、電流は、それぞれの電極７０１７を通り、電極と接触する皮膚の領域を通るかまたは皮膚接触表面と皮膚の領域の間に配置された流体の膜を通り、対象の体及び腕を通り、第２の共通電極７０３８に流れ、電源７０３９に戻る。または電流は、電源によって反対の方向に流れる。いくつかの実施形態において、電源は、端子に、定まったまたは実質的に定電位を与え、電源は、直流電源である。他の実施形態において、電源は、電位Ｖ１及びＶ２を変える。
【００７４】
実施形態において、共通電極７０２６及び接触電極７０１７は、装置７０１の本体７０３０に取り付けられ、その形状に一致する。そのような実施形態は、図７に概略的に示される。
【００７５】
実施形態は、共通電極のないＴＥＳを含む。
【００７６】
実施形態において、複数の接触電極の接触電極は、お互いに同じ電位を有さない。そのような実施形態において、第２の共通電極は必要ない。いくつかのそのような実施形態において、複数の電極の電極は、電源１２３９の第１の端子と第２の端子に接続して交互になっている。そのような実施形態において、常に配列内の接触電極を交互にすると、お互いと同じ電気極性を有し、接触電極の隣接する組は、反対の極性またはゼロ極性を有する。電源１２３９が交流電源である実施形態において、接触電極の電位は、時間とともに変化する。電源１２３９が交流電流を正弦波状に変える単相の電源であり、複数の電極の接触電極が電源の第１の端子と第２の端子に接続して交互であるとき、隣接する接触電極の組の電位は、時間とともに変化し、９０°及び２７０°相の反対であるが、０°、１８０°及び３６０°相においてアースに対して等しくゼロである。
【００７７】
そのような実施形態において、電源１２３９は、直流電源または交流電源である。電源が交流電源である１つのそのような実施形態は、図１２に概略的に描かれる。電源１２３９が直流電源であるとき、隣接する電極の組のそれぞれの電極は、他と異なる電位を有する。電源が交流電源であるとき、隣接する電極の組のそれぞれの電極は、時間の少なくとも一部において、他と異なる電位を有する。経皮電気刺激装置を備える装置１２１は、毛を有する皮膚の領域に適用されたとき、隣接する電極の組の間の異なる電位により、電流がその間を流れる。電源１２３９が回路で交流を発生するとき、それぞれの接触の電気極性は、周期的に変化する。交流が単相ならば、その後それぞれの接触電極の極性は他の全てで相が変化する。
【００７８】
いくつかの実施形態において、経皮電気刺激装置は、その導電的係合接触の間、経皮電気刺激装置によって接触された選択して処理可能な皮膚部分に対する陽極及び陰極の両方の方向を通る、低周波数、低強度の長期間の電流を発生するように設計され、構成される。いくつかの実施形態において、経皮電気刺激装置によって供給される平均電流強度は、２ｋΩにおいて、約１ｍＡ以下であり、例えば、２ｋΩにおいて、約０．１ｍＡから１ｍＡ、または約０．２ｍＡから１ｍＡ、または約０．３ｍＡから１ｍＡ、または約０．４ｍＡから１ｍＡ、または約０．１ｍＡから０．９ｍＡ、または約０．１ｍＡから０．８ｍＡ、または約０．１ｍＡから０．７ｍＡ、または約０．１ｍＡから０．６ｍＡ、または約０．１ｍＡから０．５ｍＡ、または約０．１ｍＡから０．４ｍＡ、または約０．２ｍＡから０．８ｍＡ、または約０．２ｍＡから０．６ｍＡである。いくつかの実施形態において、電流の電源によって生み出された電流及び／または電圧の波形は、単相のパルスである。いくつかの実施形態において、電流の電源によって生み出された電流及び／または電圧の波形は、変調された単相であり、陽極相と陰極相に対称に分離されることを意味する。そのような実施形態において、相あたりの総電流は、それぞれの相で、約８０ｍＡ−ｓから２００ｍＡ−ｓであり、例えば、約１００ｍＡ−ｓから１５０ｍＡ−ｓであり、相あたりの総電流は、相あたり約８０ｍＣから２００ｍＣと相関し、例えばそれぞれの相で約１００ｍＣから１５０ｍＣと相関する。そのような実施形態において、総ｍＣは、２つの相のそれぞれのｍＣの合計である。いくつかの実施形態において、経皮電気刺激装置の最大出力電圧は、導電的係合接触の間、５００Ωで約２００ｍＶ未満であり、例えば導電的係合接触の間、５００Ωで約１００ｍＶから２００ｍＶ、または１２０ｍＶから２００ｍＶ、または約１００ｍＶから１５０ｍＶ、または約１５０ｍＶから２００ｍＶである。いくつかの実施形態において、経皮電気刺激装置の電流出力は、導電的係合接触の間、５００Ωにおいて、２５０μＡから４００μＡである。いくつかのそのような実施形態において、経皮電気刺激装置は、使用者が０から約４００μＡの出力に調整するまたは選択するための１以上のコントローラを含む。
【００７９】
実施形態において、電流源１２３９はさらにスイッチが閉じたときのみ電流が接触電極から皮膚に移動するように構成されたスイッチを備える。電流は、皮膚への接触を完成する一方で開いた回路は、電流を有さない。実施形態において、経皮電気刺激装置及び／または電流源は、さらに自動過負荷トリップ及び／または自動負荷なしトリップ安全機構を含む。そのような安全機構は、当業者に理解されるように、工業的によく知られている。
【００８０】
接触電極は、金属または金属混合物または、電気を通すのに適切な、すなわち、導電流体が接触電極と選択して処理可能な皮膚表面の間に配置されたとき、電流源から皮膚へ電流を供給するのに適切な他の導電材料から形成されまたは含む。実施形態において、接触電極は、材料のインピーダンスが皮膚と比較して無視できる条件で、任意の材料を備える。実施形態において、接触電極は、約０から約５００Ω、実施形態において、約０．１Ωから約１００Ω、実施形態において約０．１Ωから約１０Ωのインピーダンスを有する。適切な導電材料は、ステンレス鋼、銅及び銅合金、クロムメッキポリマ、金メッキポリマ、ニッケルメッキ金属、銀メッキ金属、グラファイト、または導電ポリマを含む。
【００８１】
第２の実施形態において、装置の１以上の皮膚接触表面のそれぞれの少なくとも一部は、接触電極を備え、それからなり、本質的にそれからなる。おおよそ細長い部分の方向の態様において（例えば、経皮電気刺激装置のない実施形態を示す図２で概略的に示される態様）、接触電極は、細長い部分の形状及び大きさ及び皮膚接触表面によって画定される流体分散オリフィスの形状及び大きさによってのみ限定され、それぞれの接触電極は、実施形態において、概ね細長い部分の方向で見た態様において、領域の一部を形成し、領域の端部を超えて延在する、皮膚接触表面の総領域によって境界を示されるような、大きさと形状を有する。接触電極は、流体分散オリフィスを覆わない。態様において、実施形態において、接触電極は、おおよそ円、楕円、放物線、双曲線、Ｕ字、または他の規則的な、不規則的な形状である。実施形態において、それぞれの接触電極の表面領域は、実質的に平坦またはわずかに凸状である。
【００８２】
いくつかの実施形態において、経皮電気刺激装置は、治療のまたは医療の効果を有する１以上のイオン化合物をさらに含む適切な導電流体と連結したとき、イオン導入法である。
【００８３】
（方法の実施形態）
実施形態において、毛を有する皮膚に流体を塗布する方法であって、方法は、人または動物の対象の皮膚及び／または毛の第１の領域に本明細書に記載された本発明の装置の実施形態のいずれかの皮膚接触表面を適用するステップと、第１の期間、装置のすく頂点の方向のどちらか１つに装置を動かしながら、皮膚接触表面と皮膚及び／または毛の第２の領域の間の接触を維持するステップと、皮膚から皮膚接触表面を取り除くステップと、を備え、それらからなり、本質的にそれらからなり、流体の少なくとも一部は、皮膚及び／または毛の第２の領域の一部または全ての上に層として堆積される。実施形態において、第１の期間は、約１秒から約１０秒である。実施形態において、方法はさらに、追加の処理時間を通して、任意の数の繰り返しで、適用、動き、取り除きの一連の中で、適用、動き、取り除きを繰り返すステップを備える。総処理時間は、皮膚及び／または毛の第１の領域に皮膚接触表面を適用してから追加の処理時間の終わりまでの時間である。実施形態において、総処理時間は、約１分から１時間の期間、または約１分から４５分、または約１分から３０分、または約１分から１５分、または約１分から１０分、または約１分から８分、または約１分から５分、または約２分から２０分、または約５分から２０分、または約５分から１５分、または約５分から１２分、または約５分から１０分、または約７分から１５分、または約７分から１２分の期間である。実施形態において、１以上の他のステップは、適用と動きの間に起きる。実施形態において、繰り返しの間の時間、動きと適用の間の時間は、約１秒から約１分である。
【００８４】
皮膚接触表面は、皮膚及び／または毛の第３の領域で接触し、皮膚の第３の領域は、総処理時間の間、皮膚接触表面によって接触された皮膚の総領域である。
【００８５】
実施形態において、方法はさらに、本明細書で記載された流体の何れかで、本明細書で記載された本発明の装置の実施形態のいずれかのチャンバを満たしまたは部分的に満たすステップを備える。いくつかの実施形態において、チャンバを満たすステップは、装置の入力端に流体供給要素を取り付けることによって生じ、流体供給要素は、そこに配置された流体を有する流体リザーバを画定する。他の実施形態において、チャンバを満たすステップは、流体源から本体によって画定された開口を通って、チャンバの中に、流体を注ぐまたはポンプで汲むことによって生じる。実施形態において、流体源は、流体とそのための容器を備える。実施形態において、皮膚の第１の領域、皮膚の第２の領域、または皮膚の第１及び第２の領域の両方の少なくとも一部は、毛を有する。実施形態において、さらなる流体は、毛より皮膚の第２の領域に塗布される。
【００８６】
実施形態において、総処理時間の間、皮膚接触表面で接触することによって係合する皮膚及び／または毛の総表面領域は、約１ｍ２から１ｃｍ２、または約０．５ｍ２から１ｃｍ２、または約０．４ｍ２から１ｃｍ２、または約０．３ｍ２から１ｃｍ２、または約０．２ｍ２から１ｃｍ２、または約０．１ｍ２（１０００ｃｍ２）から１ｃｍ２、または約９００ｃｍ２から１ｃｍ２、または約８００ｃｍ２から１ｃｍ２、または約７００ｃｍ２から１ｃｍ２、または約６００ｃｍ２から１ｃｍ２、または約５００ｃｍ２から１ｃｍ２、または約４００ｃｍ２から１ｃｍ２、または約３００ｃｍ２から１ｃｍ２、または約２００ｃｍ２から１ｃｍ２、または約１００ｃｍ２から１ｃｍ２、または約５０ｃｍ２から１ｃｍ２、または約４０ｃｍ２から１ｃｍ２、または約３０ｃｍ２から１ｃｍ２、または約２０ｃｍ２から１ｃｍ２、または約１０ｃｍ２から１ｃｍ２、または約９ｃｍ２から１ｃｍ２、または約８ｃｍ２から１ｃｍ２、または約７ｃｍ２から１ｃｍ２、または約６ｃｍ２から１ｃｍ２、または約５ｃｍ２から１ｃｍ２、または約４ｃｍ２から１ｃｍ２、または約３ｃｍ２から１ｃｍ２、または約２ｃｍ２から１ｃｍ２、または約１０００ｃｍ２から２ｃｍ２、または約１０００ｃｍ２から３ｃｍ２、または約１０００ｃｍ２から４ｃｍ２、または約１０００ｃｍ２から５ｃｍ２、または約１０００ｃｍ２から６ｃｍ２、または約１０００ｃｍ２から７ｃｍ２、または約１０００ｃｍ２から８ｃｍ２、または約１０００ｃｍ２から９ｃｍ２、または約１０００ｃｍ２から１０ｃｍ２、または約１０００ｃｍ２から２０ｃｍ２、または約１０００ｃｍ２から３０ｃｍ２、または約１０００ｃｍ２から４０ｃｍ２、または約１０００ｃｍ２から５０ｃｍ２、または約１０００ｃｍ２から６０ｃｍ２、または約１０００ｃｍ２から７０ｃｍ２、または約１０００ｃｍ２から２ｃｍ２、または約１０００ｃｍ２から８０ｃｍ２、または約１０００ｃｍ２から９０ｃｍ２、または約１０００ｃｍ２から１００ｃｍ２、または約１０００ｃｍ２から２００ｃｍ２、または約１０００ｃｍ２から３００ｃｍ２、または約１０００ｃｍ２から４００ｃｍ２、または約１０００ｃｍ２から５００ｃｍ２、または約１０００ｃｍ２から６００ｃｍ２、または約１０００ｃｍ２から７００ｃｍ２、または約１０００ｃｍ２から８００ｃｍ２、または約１０００ｃｍ２から９００ｃｍ２、または約５００ｃｍ２から１０ｃｍ２、または約５００ｃｍ２から１００ｃｍ２、または約５００ｃｍ２から５０ｃｍ２である。
【００８７】
（更なる方法の実施形態）
実施形態において、毛を有する皮膚に流体を塗布する方法であって、方法は、人または動物の対象の皮膚及び／または毛の第１の領域に本発明の第２の実施形態のいずれかの装置の皮膚接触表面を適用するステップと、第１の期間、装置のすく頂点の方向のどちらか１つに装置を動かしながら、皮膚接触表面と皮膚及び／または毛の第２の領域の間の接触を維持するステップと、接触電極と皮膚及び／または毛の第２の領域の少なくとも一部の間の導電係合接触を維持するステップと、皮膚から皮膚接触表面を取り除くステップと、を備え、それらからなり、本質的にそれらからなり、流体の少なくとも一部は、皮膚及び／または毛の第２の領域の一部または全ての上に層として堆積される。実施形態において、第１の期間は、約１秒から約１０秒である。実施形態において、方法はさらに、追加の処理時間を通して、任意の数の繰り返しで、適用、動き、取り除きの一連を繰り返すステップを備え、一連の任意の個々の繰り返しは、任意に、接触電極と皮膚の一部の間の導電係合接触を備える。総処理時間は、皮膚の第１の領域に皮膚接触表面を適用してから追加の処理時間の終わりまでの時間である。実施形態において、総処理時間は、約１分から２０分の期間、または約１分から１８分、または約１分から１５分、または約１分から１２分、または約１分から１０分、または約１分から８分、または約１分から５分、または約２分から２０分、または約５分から２０分、または約５分から１５分、または約５分から１２分、または約５分から１０分、または約７分から１５分、または約７分から１２分の期間である。実施形態において、１以上の他のステップは、適用と動きの間に起きる。実施形態において、繰り返しの間の時間、動きと適用の間の時間は、約１秒から約１分である。皮膚接触表面は、皮膚の第３の領域で接触し、皮膚の第３の領域は、総処理時間の間、皮膚接触表面によって接触された皮膚及び／または毛の総領域である。
【００８８】
実施形態において、方法はさらに、本明細書で記載された流体の何れかで、本明細書で記載された本発明の装置の実施形態のいずれかのチャンバを満たしまたは部分的に満たすステップを備える。いくつかの実施形態において、チャンバを満たすステップは、装置の入力端に流体供給要素を取り付けることによって生じ、流体供給要素は、そこに配置された流体を有する流体リザーバを画定する。他の実施形態において、チャンバを満たすステップは、流体源から本体によって画定された開口を通って、チャンバの中に、流体を注ぐまたはポンプで汲むことによって生じる。実施形態において、流体源は、流体とそのための容器を備える。実施形態において、皮膚の第１の領域、皮膚の第２の領域、または皮膚の第１及び第２の領域の両方の少なくとも一部は、毛を有する。実施形態において、さらなる流体は、毛より皮膚の第２の領域に塗布される。
【００８９】
導電係合接触は、電流がヘッド部から選択して処理可能な皮膚部分の領域に供給されるので、経皮電気刺激装置の導電ヘッドの間の接触を備え、それからなり、本質的にそれからなる。経皮電気刺激装置は、適切にオンされ、それにより、導電係合接触をもたらす接触の前、後、または同時に、ヘッド部に電気を流す。
【００９０】
実施形態において、総処理時間内の導電係合接触の総期間は、約２分から２０分の期間、または約２分から１８分、または約２分から１５分、または約２分から１２分、または約２分から１０分、または約２分から８分、または約２分から５分、または約３分から２０分、または約５分から２０分、または約５分から１５分、または約５分から１２分、または約５分から１０分、または約７分から１５分、または約７分から１２分の期間であり、さらに導電係合接触は、選択して処理可能な皮膚部分の全てに渡り使用者によって分配される。一時的に、いくつかの実施形態において、導電係合接触は、第３の領域の全てに渡り実質的に均等に分配される。使用者は、皮膚及び／または毛の第３の領域の少なくとも一部に渡って、接触電極を動かすことによって、分配する。
【００９１】
いくつかの実施形態において、導電係合接触は、係合される皮膚表面領域の単位あたり導電係合の時間に換算すると、第３の領域の全てに渡って、実質的に均等に分配される。他の実施形態において、使用者は、係合される皮膚表面領域の単位あたりの導電係合の時間に換算して、不均一に導電係合接触を適用するために選ぶことができる。使用者は、選択して処理可能な皮膚部分の周りの接触電極を動かすことによって、係合接触の選択した分配をしつつ、皮膚表面に導電係合接触を維持する。
【００９２】
いくつかの実施形態において、総処理時間の間、接触によって導電係合する皮膚の総表面領域は、約１ｍ２から１ｃｍ２、または約０．５ｍ２から１ｃｍ２、または約０．４ｍ２から１ｃｍ２、または約０．３ｍ２から１ｃｍ２、または約０．２ｍ２から１ｃｍ２、または約０．１ｍ２（１０００ｃｍ２）から１ｃｍ２、または約９００ｃｍ２から１ｃｍ２、または約８００ｃｍ２から１ｃｍ２、または約７００ｃｍ２から１ｃｍ２、または約６００ｃｍ２から１ｃｍ２、または約５００ｃｍ２から１ｃｍ２、または約４００ｃｍ２から１ｃｍ２、または約３００ｃｍ２から１ｃｍ２、または約２００ｃｍ２から１ｃｍ２、または約１００ｃｍ２から１ｃｍ２、または約５０ｃｍ２から１ｃｍ２、または約４０ｃｍ２から１ｃｍ２、または約３０ｃｍ２から１ｃｍ２、または約２０ｃｍ２から１ｃｍ２、または約１０ｃｍ２から１ｃｍ２、または約９ｃｍ２から１ｃｍ２、または約８ｃｍ２から１ｃｍ２、または約７ｃｍ２から１ｃｍ２、または約６ｃｍ２から１ｃｍ２、または約５ｃｍ２から１ｃｍ２、または約４ｃｍ２から１ｃｍ２、または約３ｃｍ２から１ｃｍ２、または約２ｃｍ２から１ｃｍ２、または約１０００ｃｍ２から２ｃｍ２、または約１０００ｃｍ２から３ｃｍ２、または約１０００ｃｍ２から４ｃｍ２、または約１０００ｃｍ２から５ｃｍ２、または約１０００ｃｍ２から６ｃｍ２、または約１０００ｃｍ２から７ｃｍ２、または約１０００ｃｍ２から８ｃｍ２、または約１０００ｃｍ２から９ｃｍ２、または約１０００ｃｍ２から１０ｃｍ２、または約１０００ｃｍ２から２０ｃｍ２、または約１０００ｃｍ２から３０ｃｍ２、または約１０００ｃｍ２から４０ｃｍ２、または約１０００ｃｍ２から５０ｃｍ２、または約１０００ｃｍ２から６０ｃｍ２、または約１０００ｃｍ２から７０ｃｍ２、または約１０００ｃｍ２から２ｃｍ２、または約１０００ｃｍ２から８０ｃｍ２、または約１０００ｃｍ２から９０ｃｍ２、または約１０００ｃｍ２から１００ｃｍ２、または約１０００ｃｍ２から２００ｃｍ２、または約１０００ｃｍ２から３００ｃｍ２、または約１０００ｃｍ２から４００ｃｍ２、または約１０００ｃｍ２から５００ｃｍ２、または約１０００ｃｍ２から６００ｃｍ２、または約１０００ｃｍ２から７００ｃｍ２、または約１０００ｃｍ２から８００ｃｍ２、または約１０００ｃｍ２から９００ｃｍ２、または約５００ｃｍ２から１０ｃｍ２、または約５００ｃｍ２から１００ｃｍ２、または約５００ｃｍ２から５０ｃｍ２である。
【００９３】
いくつかの実施形態において、総処理時間内の時間のユニットあたりの導電係合される表面の総表面領域は、約１ｃｍ２分から４００ｃｍ２／分、または約１ｃｍ２分から３５０２ｃｍ／分、または約１ｃｍ２分から３００２ｃｍ／分、または約１ｃｍ２分から２５０２ｃｍ／分、または約１ｃｍ２分から２００２ｃｍ／分、または約１ｃｍ２分から１５０２ｃｍ／分、または約１ｃｍ２分から１００２ｃｍ／分、または約１ｃｍ２分から５０２ｃｍ／分、または約１ｃｍ２分から４０２ｃｍ／分、または約１ｃｍ２分から３０２ｃｍ／分、または約１ｃｍ２分から２０２ｃｍ／分、または約１ｃｍ２分から１０２ｃｍ／分、または約１ｃｍ２分から９ｃｍ２／分、または約１ｃｍ２分から８ｃｍ２／分、または約１ｃｍ２分から７ｃｍ２／分、または約１ｃｍ２分から６ｃｍ２／分、または約１ｃｍ２分から５ｃｍ２／分、または約１ｃｍ２分から４ｃｍ２／分、または約１ｃｍ２分から３ｃｍ２／分、または約１ｃｍ２分から２ｃｍ２／分、または約２ｃｍ２分から４００ｃｍ２／分、または約３ｃｍ２分から４００ｃｍ２／分、または約４ｃｍ２分から４００ｃｍ２／分、または約５ｃｍ２分から４００ｃｍ２／分、または約６ｃｍ２分から４００ｃｍ２／分、または約７ｃｍ２分から４００ｃｍ２／分、または約８ｃｍ２分から４００ｃｍ２／分、または約９ｃｍ２分から４００ｃｍ２／分、または約１０ｃｍ２分から４００ｃｍ２／分、または約２０ｃｍ２分から４００ｃｍ２／分、または約３０ｃｍ２分から４００ｃｍ２／分、または約４０ｃｍ２分から４００ｃｍ２／分、または約５０ｃｍ２分から４００ｃｍ２／分、または約６０ｃｍ２分から４００ｃｍ２／分、または約７０ｃｍ２分から４００ｃｍ２／分、または約８０ｃｍ２分から４００ｃｍ２／分、または約９０ｃｍ２分から４００ｃｍ２／分、または約１００ｃｍ２分から４００ｃｍ２／分、または約１５０ｃｍ２分から４００ｃｍ２／分、または約２００ｃｍ２分から４００ｃｍ２／分、または約２５０ｃｍ２分から４００ｃｍ２／分、または約３００ｃｍ２分から４００ｃｍ２／分、または約３５０ｃｍ２分から４００ｃｍ２／分、または約５ｃｍ２分から２００ｃｍ２／分、または約５ｃｍ２分から１００ｃｍ２／分、または約５ｃｍ２分から５０ｃｍ２／分、または約１０ｃｍ２分から２００ｃｍ２／分、または約１０ｃｍ２分から１００ｃｍ２／分、または約２０ｃｍ２分から２００ｃｍ２／分、または約５０ｃｍ２分から２００ｃｍ２／分、または約１００ｃｍ２分から２００ｃｍ２／分である。
【００９４】
処理は、総処理時間の間の全ての数の適用、動き、及び取り除くステップを備える。実施形態において、処理の進行は、１以上の処理を備える。実施形態において、記載された処理は繰り返される。実施形態において、記載された処理は、処理の進行を提供するために、１度、実施形態において２度、実施形態において３度、または実施形態において４度繰り返される。実施形態において、処理の進行は、約２４時間、実施形態において、約１週間、実施形態において約１ヶ月、実施形態において約３ヶ月、または実施形態において約１年を通して間隔を置いて実行される。期間のない処理はまた期待される。
【００９５】
本明細書で説明的に開示された本発明は、本明細書で特に開示されない任意の要素をなくして適切に実施されることができる。本発明が、様々な改良及び代替の形態を受け入れる余地がある一方で、その詳細は、実施例を手段として示され、詳細に記載される。しかしながら、本発明は、記載された特定の実施形態に限定されないと理解されるべきである。それどころか、本発明は、本発明の精神及び範囲内に入る、改良物、均等物、及び代替物を含めるべきである。様々な実施形態において、本発明は適切に本明細書で記載され、請求項によって権利主張された要素を備え、それらからなり、本質的にそれらからなる。
【００９６】
さらに、ここで記載されたように、本発明のそれぞれの及び全ての実施形態は、本明細書に記載された他の実施形態及び本発明の精神及び範囲内に入るその改良物、均等物、及び代替物を単独でまたは組み合わせて用いることを意図する。上記に記載された様々な実施形態は、説明のみの手段として提供され、本明細書に添付された請求項を限定するように解釈されるべきでない。様々な改良及び変更が、本明細書で描かれ、記載された実施例実施形態及び応用に続くことなく、請求項の本当の精神及び範囲から逸脱することなく、なされることが認識されるであろう。
【図１】
2020511185.tif 000003
【図２】
2020511185.tif 000004
【図３】
2020511185.tif 000005
【図４】
2020511185.tif 000006
【図５】
2020511185.tif 000007
【図６】
2020511185.tif 000008
【図７】
2020511185.tif 000009
【図８】
2020511185.tif 000010
【図９】
2020511185.tif 000011
【図１０】
2020511185.tif 000012
【図１１】
2020511185.tif 000013
【図１２】
2020511185.tif 000014
【図１３Ａ】
2020511185.tif 000015
【図１３Ｂ】
2020511185.tif 000016
【図１３Ｃ】
2020511185.tif 000017
【図１４Ａ】
2020511185.tif 000018
【図１４Ｂ】
2020511185.tif 000019
【図１４Ｃ】
2020511185.tif 000020
【図１５Ａ】
2020511185.tif 000021
【図１５Ｂ】
2020511185.tif 000022
【図１５Ｃ】
2020511185.tif 000023
【図１６】
2020511185.tif 000024
【国際調査報告】
2020511185.tif 000025
2020511185.tif 000026